(57)【要約】【課題】貨幣を収容体に収容して取り出す際のセキュリティ性の向上を図ることができる貨幣処理装置を提供する。【解決手段】投入された貨幣を計数する計数手段と、計数手段で計数された貨幣を放出する放出手段２６と、放出手段２６から放出された貨幣を収容する収容体３５の取り外しを許容および規制する規制手段９１と、収容体３５の開口を封止する封止手段１１０と、封止手段１１０で収容体３５の開口が封止されていない状態での当該収容体３５の取り外しを規制し、封止手段１１０で収容体３５の開口が封止されている状態での当該収容体３５の取り外しを許容するように規制手段９１を制御する制御手段と、を備える。【選択図】図５
2019079327.tif 000002
【特許請求の範囲】
【請求項１】
投入された貨幣を計数する計数手段と、
前記計数手段で計数された貨幣を放出する放出手段と、
前記放出手段から放出された貨幣を収容する収容体の取り外しを許容および規制する規制手段と、
前記収容体の開口を封止する封止手段と、
前記封止手段で前記収容体の開口が封止されていない状態での当該収容体の取り外しを規制し、前記封止手段で前記収容体の開口が封止されている状態での当該収容体の取り外しを許容するように前記規制手段を制御する制御手段と、
を備える貨幣処理装置。
【請求項２】
前記収容体は収容袋であり、
前記封止手段は前記収容袋の開口側を縛る帯状の封緘具であって、
前記放出手段は前記収容袋の開口側が着脱可能であり、
前記規制手段は、前記収容袋の前記放出手段からの取り外しを許容および規制し、
前記制御手段は、前記収容袋が前記封緘具で縛られた状態にあるか否かを検出し、縛られた状態にあれば、前記規制手段を、前記放出手段からの前記収容袋の取り外しを許容する状態にすることを特徴とする請求項１記載の貨幣処理装置。
【請求項３】
前記収容袋の底部を支持する支持部を有することを特徴とする請求項２記載の貨幣処理装置。
【請求項４】
前記規制手段は、
閉状態で前記放出手段を覆って該放出手段からの前記収容袋の取り外しを規制し、開状態で前記放出手段の覆いを解除して該放出手段からの前記収容袋の取り外しを許容するカバーと、
前記カバーを閉状態でロックすると共に前記制御手段で制御されてロックが解除されるロック手段と、を有することを特徴とする請求項２または３記載の貨幣処理装置。
【請求項５】
前記封緘具には、一端側が挿入されると共に挿入された一端側の挿入方向の移動を許容し且つ引き抜き方向の移動を規制する引抜規制部が他端側に設けられており、
前記放出手段に装着された前記収容袋の周囲に巻かれて前記引抜規制部に前記一端側が挿入された状態の前記封緘具の前記一端側を前記引抜規制部に対し挿入方向に移動させて前記収容袋の開口側を縛る緊縛手段を有し、
前記制御手段は、前記緊縛手段の作動に基づいて前記収容袋が前記封緘具で縛られた状態にあるか否かを検出することを特徴とする請求項２乃至４のいずれか一項記載の貨幣処理装置。
【請求項６】
未使用であるか使用済みであるかを示す使用情報を記憶する記憶手段を前記封緘具が有しており、
前記記憶手段から前記使用情報を読み出す読出手段を有することを特徴とする請求項２乃至５のいずれか一項記載の貨幣処理装置。
【発明の詳細な説明】
【技術分野】
【０００１】
本発明は、貨幣処理装置に関する。
【背景技術】
【０００２】
特定金種の硬貨を選別および計数して袋取りすることが可能な装置がある（例えば、特許文献１，２参照）。
【先行技術文献】
【特許文献】
【０００３】
【特許文献１】実開昭５７−１４０４６９号公報
【特許文献２】特開昭５８−１６３８７号公報
【発明の概要】
【発明が解決しようとする課題】
【０００４】
貨幣処理装置から貨幣を収容体に収容して取り出す際のセキュリティ性の向上が求められている。
【０００５】
本発明は、貨幣を収容体に収容して取り出す際のセキュリティ性の向上を図ることができる貨幣処理装置の提供を目的とする。
【課題を解決するための手段】
【０００６】
上記目的を達成するために、本発明に係る第１の態様は、投入された貨幣を計数する計数手段と、前記計数手段で計数された貨幣を放出する放出手段と、前記放出手段から放出された貨幣を収容する収容体の取り外しを許容および規制する規制手段と、前記収容体の開口を封止する封止手段と、前記封止手段で前記収容体の開口が封止されていない状態での当該収容体の取り外しを規制し、前記封止手段で前記収容体の開口が封止されている状態での当該収容体の取り外しを許容するように前記規制手段を制御する制御手段と、を備える。
【０００７】
上記第１の態様によれば、制御手段は、封止手段で収容体の開口が封止されていない状態の当該収容体の取り外しを規制し、封止手段で収容体の開口が封止されている状態の当該収容体の取り外しを許容するように規制手段を制御するため、封止手段で開口が封止されていない状態での収容体の取り外しを規制することができる。よって、貨幣を収容体に収容して取り出す際のセキュリティ性の向上を図ることができる。
【０００８】
本発明に係る第２の態様は、上記第１の態様において、前記収容体は収容袋であり、前記封止手段は前記収容袋の開口側を縛る帯状の封緘具であって、前記放出手段は前記収容袋の開口側が着脱可能であり、前記規制手段は、前記収容袋の前記放出手段からの取り外しを許容および規制し、前記制御手段は、前記収容袋が前記封緘具で縛られた状態にあるか否かを検出し、縛られた状態にあれば、前記規制手段を、前記放出手段からの前記収容袋の取り外しを許容する状態にすることを特徴とする。
【０００９】
上記第２の態様によれば、放出手段に収容袋の開口側を装着して、貨幣を放出手段から収容袋に放出し収容して袋取りを行う際に、制御手段は、収容袋が封緘具で縛られた状態にあるか否かを検出し、縛られた状態にあれば、規制手段を、放出手段からの収容袋の取り外しを許容する状態にする。よって、貨幣の袋取りの際のセキュリティ性の向上を図ることができる。
【００１０】
本発明に係る第３の態様は、上記第２の態様において、前記収容袋の底部を支持する支持部を有することを特徴とする。
【００１１】
上記第３の態様によれば、支持部が収容袋の底部を支持するため、開口側が放出手段に装着された状態の収納袋が、収容している貨幣の重量で下方に引っ張られることを抑制できる。よって、封緘具で縛る際に、収容袋の開口側を窄める動作に対する抵抗力が小さくなり、収容袋の開口の封緘具による封止に要する力を低減できる。
【００１２】
本発明に係る第４の態様は、上記第２または第３の態様において、前記規制手段は、閉状態で前記放出手段を覆って該放出手段からの前記収容袋の取り外しを規制し、開状態で前記放出手段の覆いを解除して該放出手段からの前記収容袋の取り外しを許容するカバーと、前記カバーを閉状態でロックすると共に前記制御手段で制御されてロックが解除されるロック手段と、を有することを特徴とする。
【００１３】
上記第４の態様によれば、カバーは、閉状態で放出手段を覆ってこの放出手段からの収容袋の取り外しを規制することになり、ロック手段がカバーを閉状態でロックする。このため、簡素な構造で、放出手段からの収容袋の取り外しを規制することができる。
【００１４】
本発明に係る第５の態様は、上記第２乃至第４のいずれか一態様において、前記封緘具には、一端側が挿入されると共に挿入された一端側の挿入方向の移動を許容し且つ引き抜き方向の移動を規制する引抜規制部が他端側に設けられており、前記放出手段に装着された前記収容袋の周囲に巻かれて前記引抜規制部に前記一端側が挿入された状態の前記封緘具の前記一端側を前記引抜規制部に対し挿入方向に移動させて前記収容袋の開口側を縛る緊縛手段を有し、前記制御手段は、前記緊縛手段の作動に基づいて前記収容袋が前記封緘具で縛られた状態にあるか否かを検出することを特徴とする。
【００１５】
上記第５の態様によれば、緊縛手段は、放出手段に装着された収容袋の周囲に巻かれて引抜規制部に一端側が挿入された状態の封緘具の一端側を引抜規制部に対し挿入方向に移動させて収容袋の開口側を縛るため、収容袋の開口の封緘具による封止作業を補助することができる。しかも、制御手段は、緊縛手段の作動に基づいて収容袋が封緘具で縛られた状態にあるか否かを検出するため、収容袋の開口の封緘具による封止が行われたか否かを確実に検出することができる。
【００１６】
本発明に係る第６の態様は、上記第２乃至第５のいずれか一態様において、未使用であるか使用済みであるかを示す使用情報を記憶する記憶手段を前記封緘具が有しており、前記記憶手段から前記使用情報を読み出す読出手段を有することを特徴とする。
【００１７】
上記第６の態様によれば、読出手段が、封緘具の記憶手段から未使用であるか使用済みであるかを示す使用情報を読み出すため、使用済みの封緘具が使用されることを防止できる。
【発明の効果】
【００１８】
本発明によれば、貨幣を収容体に収容して取り出す際のセキュリティ性の向上を図ることができる貨幣処理装置を提供することができる。
【図面の簡単な説明】
【００１９】
【図１】本発明の貨幣処理装置に係る第１実施形態である硬貨処理装置を示す斜視図である。
【図２】本発明の貨幣処理装置に係る第１実施形態である硬貨処理装置の要部のブロック図である。
【図３】本発明の貨幣処理装置に係る第１実施形態である硬貨処理装置を示す斜視図である。
【図４】本発明の貨幣処理装置に係る第１実施形態である硬貨処理装置の封緘具を示す正面図である。
【図５】本発明の貨幣処理装置に係る第１実施形態である硬貨処理装置の緊縛部等を示す平断面図である。
【図６】本発明の貨幣処理装置に係る第２実施形態である硬貨処理装置を示す分解斜視図である。
【図７】本発明の貨幣処理装置に係る第３実施形態である硬貨処理装置を示す分解斜視図である。
【発明を実施するための形態】
【００２０】
＜第１実施形態＞
本発明の貨幣処理装置に係る第１実施形態である硬貨処理装置を図１〜図５を参照して以下に説明する。
【００２１】
図１に示す第１実施形態の硬貨処理装置１１は、貨幣のうちの硬貨を計数処理するものであり、一括投入された金種混合の硬貨を識別および計数して金種別に分類する分類モードと、一括投入された金種混合の硬貨を識別および計数し金種別に分類することなく一括して放出する一括放出モードとが可能な硬貨選別計数装置である。以下の説明における「前」は硬貨処理装置１１の操作者側、「後」は硬貨処理装置１１の操作者とは反対側、「左」は硬貨処理装置１１の操作者から見て左側、「右」は硬貨処理装置１１の操作者から見て右側である。
【００２２】
第１実施形態の硬貨処理装置１１は、その装置本体部１５の上部に、上方に開口して投入された硬貨をプールすると共にプールしている硬貨を一枚ずつ分離して繰り出すホッパ１６を有している。また、装置本体部１５は、ホッパ１６の上部開口１７を開閉するホッパカバー１８を有している。
【００２３】
硬貨処理装置１１は、その装置本体部１５の右側から中央部にかけての下部に、装置本体部１５の主前面１９から後方に凹む収容凹部２０を有しており、この収容凹部２０に前方から差し込まれる、装置本体部１５とは別体の複数の収容箱２１を有している。これらの収容箱２１には、収容凹部２０に差し込まれた状態で、装置本体部１５から金種別に分類された真硬貨が個別に放出される。具体的には、収容箱２１は、１円硬貨、５円硬貨、１０円硬貨、５０円硬貨、１００円硬貨および５００円硬貨の６金種分、６個設けられている。これらの収容箱２１は、個別に収容凹部２０から前方に引き出されて取り外されるようになっている。これらの収容箱２１は、上方開口の箱状となっており、装置本体部１５から放出された硬貨をこの開口から受け入れて収容する。
【００２４】
硬貨処理装置１１は、その装置本体部１５の左側に、主前面１９から前方に突出する突出部２５と、突出部２５の下端部から下方に突出するシュート（放出手段）２６とを有している。シュート２６は、識別および計数後の硬貨を外部に放出するシュート本体３１と、シュート本体３１に上下移動可能に支持された係止リング３２とを有している。
【００２５】
シュート本体３１は、下部側が上部側よりも大径の略円錐形状である。係止リング３２は、Ｃ字状であり、内径が、シュート本体３１の最小外径よりも大きく、シュート本体３１の最大外径よりも小さい。係止リング３２は、シュート本体３１に対して持ち上げられると、シュート本体３１との間に径方向の隙間を形成することになり、シュート本体３１に対して下げられると、シュート本体３１に全長にわたって当接する。
【００２６】
シュート２６は、収容袋３５（収容体）を係止する。収容袋３５は、一端側に開口３６を有しこの開口３６以外が閉塞された布製の袋であり、シュート本体３１から放出された硬貨を収容する収容体である。シュート２６には、係止リング３２がシュート本体３１に対し持ち上げられることにより生じる、係止リング３２とシュート本体３１との間の径方向の隙間に、収容袋３５の開口３６側が差し込まれることになる。この状態から係止リング３２がシュート本体３１に対し相対的に下げられると、係止リング３２がシュート本体３１とで収容袋３５の開口３６側を挟持する。これにより、収容袋３５がシュート本体３１を開口３６の内側に配置した状態でシュート２６に取り付けられる。
【００２７】
シュート本体３１と係止リング３２とが収容袋３５の上部を挟み込んで保持することから、収容袋３５は係止リング３２よりもさらに上方に延びた状態でシュート２６に取り付けられることになる。収容袋３５は、シュート本体３１の下端部から収容袋３５の底部まで、一例として２０〜３０センチメートル程度の長さを有するようにシュート２６にセットされる。シュート２６は、収容袋３５の開口３６側が着脱可能となっている。
【００２８】
シュート２６は、収容袋３５が取り外される際には、係止リング３２がシュート本体３１に対し持ち上げられることにより係止リング３２とシュート本体３１とが径方向に離間し、これにより、収容袋３５が下方に引き抜かれて取り外される。
【００２９】
硬貨処理装置１１は、その装置本体部１５の突出部２５よりも左側に、主前面１９から後方に凹む収容凹部４０を有しており、この収容凹部４０に差し込まれる、装置本体部１５とは別体の一つの排除ボックス４１を有している。この排除ボックス４１には、収容凹部４０に差し込まれた状態で、装置本体部１５から偽硬貨が放出される。この排除ボックス４１は、収容凹部４０から引き出されて取り外されるようになっている。この排除ボックス４１は、上方開口の箱状となっており、装置本体部１５から放出された硬貨をこの開口から受け入れて収容する。
【００３０】
硬貨処理装置１１は、その装置本体部１５のホッパ１６の右側に、操作者に向けて表示を行うと共に操作者によって操作入力がなされる操作表示部５１が設けられており、操作表示部５１の後側に用紙に印字を行うプリンタ５２が設けられている。硬貨処理装置１１は、図２に示すように、ホッパ１６に投入されホッパ１６から繰り出された硬貨を搬送する搬送部５５と、搬送部５５で搬送中の硬貨の真偽および金種を識別して金種別に計数する識別計数部（計数手段）５６と、識別計数部５６で識別および計数後の硬貨を振り分ける振分部５７と、硬貨処理装置１１の全体を制御する制御部５８（制御手段）と、記憶部５９と、を有している。
【００３１】
硬貨処理装置１１は、操作表示部５１で分類モードが選択された分類モードの実行時において、制御部５８が、ホッパ１６に投入された硬貨を、識別計数部５６で識別させ、その結果に基づいて振分部５７で振り分けさせることになり、振分部５７は、真硬貨をそれぞれ対応する金種の図１に示す収容箱２１に放出し、偽硬貨を排除ボックス４１に放出する。
【００３２】
硬貨処理装置１１は、操作表示部５１で一括放出モードが選択された一括放出モードの実行時において、制御部５８が、ホッパ１６に投入された硬貨を、識別計数部５６で識別させ、その結果に基づいて振分部５７で振り分けさせることになり、振分部５７は、真硬貨を一括して図１に示すシュート２６のシュート本体３１から収容袋３５に放出し、偽硬貨を排除ボックス４１に放出する。その結果、シュート２６は、識別計数部５６で計数された硬貨を放出することになる。
【００３３】
硬貨処理装置１１は、シュート２６から放出された硬貨を収容する収容袋３５の取り外しを許容および規制する取外規制部（規制手段）７１を有している。取外規制部７１は、閉状態でシュート２６を覆ってシュート２６からの収容袋３５の取り外しを規制し、開状態でシュート２６の覆いを解除してシュート２６からの収容袋３５の取り外しを許容する上部カバー７２を有している。
【００３４】
上部カバー７２は、装置本体部１５の主前面１９から前方に突出し水平に広がる天井部７５と、装置本体部１５の主前面１９から前方に突出し左右方向に直交するように広がる一対の上部壁部７６と、左側の上部壁部７６の前端縁部に鉛直軸回りに回動可能に連結された上部扉部７７とを有している。
【００３５】
天井部７５は、突出部２５の下端部の前縁部から前方に延出すると共に、突出部２５の下端部の左右縁部から左右に延出している。天井部７５は、シュート２６およびシュート２６に取り付けられた状態の収容袋３５を上方で突出部２５とによって覆う。一対の上部壁部７６は、天井部７５の左右の端縁部から下方に延出しており、シュート２６およびシュート２６に取り付けられた状態の収容袋３５の上部を左右両側で覆う。
【００３６】
上部扉部７７は、一対の上部壁部７６の前端縁部間の前部開口部８０を開閉することになり、図３に示すように、閉状態で、シュート２６およびシュート２６に取り付けられた状態の収容袋３５の上部を前方で覆う。装置本体部１５の主前面１９は、シュート２６およびシュート２６に取り付けられた状態の収容袋３５の上部を後方で覆う。よって、シュート２６およびシュート２６に取り付けられた状態の収容袋３５の上部は、水平方向の全周が、一対の上部壁部７６、閉状態の上部扉部７７および装置本体部１５の主前面１９によって覆われている。一対の上部壁部７６、閉状態の上部扉部７７および装置本体部１５の主前面１９で囲まれた部分の全体を天井部７５および突出部２５が閉塞する。
【００３７】
上部カバー７２は、図１に示すように上部扉部７７が開放された開状態では、シュート２６の係止リング３２およびシュート２６に取り付けられた状態の収容袋３５の上部を前方に露出させてアクセス可能とする。このとき、係止リング３２およびシュート２６に取り付けられた状態の収容袋３５の上部へのアクセスは、上部扉部７７が開放されることで開口する前部開口部８０を介して可能となる。上部カバー７２は、上部扉部７７が閉塞された閉状態では、シュート２６およびシュート２６に取り付けられた状態の収容袋３５の上部へのアクセスを規制する。言い換えれば、取外規制部７１は、上部カバー７２が閉状態にあるとき、収容袋３５のシュート２６からの取り外しを規制することになり、上部カバー７２が開状態にあるとき、収容袋３５のシュート２６からの取り外しを許容することになる。
【００３８】
取外規制部７１は、上部カバー７２を、閉状態でロックすると共に制御部５８の制御でロックおよびロック解除が制御される電磁式の上部カバーロック部（ロック手段）８１と、上部カバー７２が、閉状態にあるか否かを検知する図２に示す上部カバー開閉検知部８２とを有している。上部カバーロック部８１は、上部扉部７７を前部開口部８０を閉塞する閉状態で右側の上部壁部７６に固定するものである。
【００３９】
上部カバー７２には、シュート２６に取り付けられた状態の収容袋３５の有無を検知する図２に示す装着有無検知部８３が設けられている。装着有無検知部８３は発光素子と受光素子とからなる光学透過型のセンサである。装着有無検知部８３は、発光素子の発光を受光素子が受光する状態が、収容袋３５がシュート２６に取り付けられた状態にないことを検知する状態であり、発光素子の発光を受光素子が受光しない状態が、収容袋３５がシュート２６に取り付けられた状態にあることを検知する状態である。
【００４０】
図１に示すように、取外規制部７１は、閉状態で収容袋３５を覆って収容袋３５の取り出しを規制し、開状態で収容袋３５の覆いを解除して収容袋３５の取り出しを許容する下部カバー９１を有している。下部カバー９１は上部カバー７２との間に上下方向に若干の隙間を設けて上部カバー７２の下方に配置されている。
【００４１】
下部カバー９１は、装置本体部１５の下面に固定されており、装置本体部１５よりも前方かつ下方に突出している。下部カバー９１は、装置本体部１５の主前面１９よりも前方に突出し左右方向に直交するように広がる一対の下部壁部９５と、一対の下部壁部９５の後端縁部同士を連結する下部後壁部９６と、一対の下部壁部９５および下部後壁部９６の下端縁部同士を連結するカバー底部９７（支持部）と、左側の下部壁部９５の前端縁部に鉛直軸回りに回動可能に連結された下部扉部９８と、を有している。
【００４２】
一方の下部壁部９５は、一方の上部壁部７６と前後左右の位置を重ね合わせて同一平面に配置されると共に、この上部壁部７６から若干離間して下方に配置されており、他方の下部壁部９５は、他方の上部壁部７６と前後左右の位置を重ね合わせて同一平面に配置されると共に、この上部壁部７６から若干離間して下方に配置されている。カバー底部９７は天井部７５と前後左右の位置を重ね合わせて水平に配置されている。閉状態の下部扉部９８は閉状態の上部扉部７７と前後左右の位置を重ね合わせて同一平面に配置されると共に、この上部扉部７７から若干離間して下方に配置されている。
【００４３】
一対の下部壁部９５はシュート２６に取り付けられた状態の収容袋３５の中間部から下部を左右で覆い、下部後壁部９６はシュート２６に取り付けられた状態の収容袋３５の中間部から下部を後方で覆う。カバー底部９７は、シュート２６に取り付けられた状態の収容袋３５の底部を支持すると共に、これを下方で覆う。カバー底部９７は、シュート２６に取り付けられた状態の収容袋３５の底部を、最も下側に位置した状態よりも所定量持ち上げた状態に支持する。
【００４４】
下部扉部９８は、一対の下部壁部９５の前端縁部間の前部開口部１００を開閉することになり、閉状態で、シュート２６に取り付けられた状態の収容袋３５の中間部から下部を前方で覆う。シュート２６に取り付けられた状態の収容袋３５の中間部から下部は、水平方向の全周が、一対の下部壁部９５、下部後壁部９６および閉状態の下部扉部９８によって覆われている。一対の下部壁部９５、下部後壁部９６および閉状態の下部扉部９８で囲まれた部分の全体をカバー底部９７が閉塞する。
【００４５】
下部カバー９１は、下部扉部９８が開放された開状態では、収容袋３５の中間部から下部を前方に露出させてアクセス可能とする。このとき、収容袋３５の中間部から下部へのアクセスは、下部扉部９８が開放されることで開口する前部開口部１００を介して可能となる。下部カバー９１は、下部扉部９８が閉塞された閉状態では、シュート２６に取り付けられた状態の収容袋３５の中間部から下部へのアクセスを規制する。
【００４６】
以上により、取外規制部７１は、上部カバー７２および下部カバー９１の少なくともいずれか一方が閉状態にあるとき、収容袋３５の全体に亘るアクセスを規制することになり、上部カバー７２および下部カバー９１が共に開状態にあるとき、収容袋３５に全長に亘るアクセスを可能とする。
【００４７】
取外規制部７１は、下部カバー９１を、閉状態でロックすると共に制御部５８でロックおよびロック解除が制御される電磁式の下部カバーロック部（ロック手段）１０１と、下部カバー９１が、閉状態にあるか否かを検知する図２に示す下部カバー開閉検知部１０２とを有している。下部カバーロック部１０１は、下部扉部９８を前部開口部１００を閉塞する閉状態で右側の下部壁部９５に固定するものである。カバー底部９７には、収容袋３５の残留硬貨の有無を検知する図２に示す袋内残留磁気検知センサ１０３が設けられている。
【００４８】
硬貨処理装置１１は、装置本体部１５とは別体であって、収容袋３５の開口３６側を縛って開口３６を封止する図４に示す封緘具１１０（封止手段）を有している。図５に示すように、硬貨処理装置１１の装置本体部１５は、封緘具１１０がセットされると共に、封緘具１１０による収容袋３５の縛りを補助する緊縛部１１１（緊縛手段）を有している。
【００４９】
図４に示すように、封緘具１１０は、帯状のバンド部材であり、幅が狭いバンド部１１２と、バンド部１１２よりも幅が広くて長さが短い基部１１３とを有している。バンド部１１２には、基部１１３とは反対の先端部１１４側の所定位置に、厚さ方向に貫通する検知穴１１５が形成されている。基部１１３には、バンド部１１２側の端部に、角筒状をなし、内側にバンド部１１２が先端部１１４から挿入される引抜規制部１１６が設けられている。図５に示すように、引抜規制部１１６は、バンド部１１２および基部１１３の引抜規制部１１６を除く部分よりも厚さ方向一側に突出している。
【００５０】
角筒状の引抜規制部１１６は、挿入されたバンド部１１２の挿入方向の移動を許容し且つ引き抜き方向の移動を規制する。言い換えれば、引抜規制部１１６にはバンド部１１２が不可逆的に移動するように挿入される。具体的に、バンド部１１２には、多数の爪がバンド部１１２の長さ方向に沿ってラックギア状に形成されており、引抜規制部１１６には、バンド部１１２の爪に対し一方向の移動を許容しつつ逆方向の移動を規制する規制爪が形成されている。よって、封緘具１１０には、一端側が挿入されると共に挿入された一端側の挿入方向の移動を許容し且つ引き抜き方向の移動を規制する引抜規制部１１６が他端側に設けられている。
【００５１】
基部１１３には、情報を記憶するＩＣタグ１１７（記憶手段）が埋設されている。ＩＣタグ１１７は、これが設けられた封緘具１１０の識別番号と、この封緘具１１０が未使用であるか使用済みであるかを示す使用情報とを記憶する。
【００５２】
図１に示すように、緊縛部１１１は、装置本体部１５の主前面１９側の上部カバー７２と下部カバー９１との間位置に設けられている。図５に示すように、緊縛部１１１は、封緘具１１０がセットされるセット部１２１と、セット部１２１にセットされた封緘具１１０のＩＣタグ１１７と通信してＩＣタグ１１７から使用情報を読み出したりＩＣタグ１１７に使用情報を書き込むＩＣタグリーダライタ１２２（読出手段）と、を有している。また、緊縛部１１１は、セット部１２１にセットされた封緘具１１０の引抜規制部１１６にバンド部１１２が所定量挿入された状態にあるか否かを検知する挿入検知部１２４と、引抜規制部１１６に所定量挿入されたバンド部１１２の先端側を引抜規制部１１６に対し挿入方向に移動させる移動部１２５を有している。
【００５３】
セット部１２１には、封緘具１１０のバンド部１１２よりも厚さ方向に突出する引抜規制部１１６が挿入されるセット穴１３１と、セット穴１３１に引抜規制部１１６が挿入された状態で封緘具１１０が載置される載置部１３２と、載置部１３２に載置された状態の封緘具１１０の基部１１３の載置部１３２からの脱落を規制する基部保持部１３３と、セット穴１３１への封緘具１１０の先端部１１４の挿入を案内するガイド部１３４と、を有している。セット部１２１は、図１に示すように、シュート本体３１の下端部よりも、所定の間隔（一例として１０センチメートル程度）を置いて下側に配置される。これは、封緘具１１０を締め付けて収容袋３５を封緘する際に、収容袋３５を締め付けやすくするためである。
【００５４】
図５に示すように、セット部１２１にセットされた封緘具１１０の引抜規制部１１６にバンド部１１２が先端部１１４から所定量挿入されると、挿入検知部１２４がこのバンド部１１２を検知する。挿入検知部１２４は発光素子と受光素子とからなる光学透過型のセンサである。挿入検知部１２４は、発光素子の発光を受光素子が受光する状態がバンド部１１２の実部を検知しない状態であり、発光素子の発光を受光素子が受光しない状態がバンド部１１２の実部を検知する状態である。挿入検知部１２４は、発光素子の発光を受光素子が受光する状態から受光しない状態となり、検知穴１１５で再び受光する状態になると、引抜規制部１１６にバンド部１１２が所定量挿入された状態にあることを検知する。
【００５５】
移動部１２５は、一対のクランプローラ１３６と、一対のクランプローラ１３６を近接および離間させる図２に示す移動駆動モータ１３７と、クランプローラ１３６を回転させる図２に示す回転駆動モータ１３８と、クランプローラ１３６と回転駆動モータ１３８との間に配置される図示略のトルクリミッタと、を有している。一対のクランプローラ１３６は、セット部１２１にセットされた封緘具１１０の引抜規制部１１６に所定量挿入された状態のバンド部１１２の先端部１１４側を移動駆動モータ１３７に駆動されて挟持することになり、この状態で回転駆動モータ１３８に駆動されて回転することにより、バンド部１１２を引抜規制部１１６に対し挿入方向に移動させる。
【００５６】
セット部１２１にセットされた封緘具１１０の前方に、シュート２６に装着された収容袋３５の開口３６側が配置されている。セット部１２１にセットされた封緘具１１０は、手動で先端部１１４側が手前に引かれ、収容袋３５の前方を通過させられて、ガイド部１３４で案内されて引抜規制部１１６に挿入される。これにより、シュート２６に装着された収容袋３５の開口３６側の周囲に封緘具１１０が巻かれる。
【００５７】
緊縛部１１１は、このように収容袋３５の開口３６側の周囲に巻かれて引抜規制部１１６に先端部１１４側が所定量挿入された状態の封緘具１１０の先端部１１４側を引抜規制部１１６に対し挿入方向に移動させて収容袋３５の開口３６側を封緘具１１０で縛る。封緘具１１０による収容袋３５の縛りを解除する場合、基本的にはバンド部１１２の切断が必要になる。
【００５８】
制御部５８は、緊縛部１１１の作動に基づいて収容袋３５が封緘具１１０で縛られた状態にあるか否かを検出する。具体的に、制御部５８は、回転駆動モータ１３８の回転時間（言い換えれば回転量）、すなわちクランプローラ１３６の回転時間が回転開始から所定時間を超えると、収容袋３５が封緘具１１０で縛られた状態にあることを検出する。収容袋３５が封緘具１１０で縛られた状態になると、クランプローラ１３６と回転駆動モータ１３８との間の図示略のトルクリミッタが滑る状態になる。所定量は、トルクリミッタが滑る状態となるのに十分な回転時間に設定されている。
【００５９】
制御部５８は、収容袋３５が封緘具１１０で縛られた状態にあるか否かをこのように検出し、縛られた状態にあれば、取外規制部７１の上部カバーロック部８１および下部カバーロック部１０１の両方のロックを解除することになる。これにより、シュート２６の係止リング３２のシュート本体３１に対する持ち上げ作業が可能となり、シュート２６に装着された収容袋３５のシュート２６からの取り外しを許容する状態になる。
【００６０】
すなわち、操作表示部５１への操作で一括放出モードが選択されると、制御部５８は、まず、一括放出モードでの封緘処理として、操作表示部５１に、緊縛部１１１のセット部１２１への未使用の封緘具１１０のセットおよび収容袋３５のシュート２６への取り付けを促す表示を表示させる。すると、操作者は、例えば、上部扉部７７を開き、下部扉部９８を開いて、未使用の封緘具１１０をセット部１２１にセットし、収容袋３５をシュート２６へ取り付けた後、上部扉部７７および下部扉部９８を閉じることになる。
【００６１】
操作者の上記作業によって、装着有無検知部８３が収容袋３５がシュート２６に取り付けられた状態にあることを検知した後、上部扉部７７が閉じられたことを上部カバー開閉検知部８２が検知し、下部扉部９８が閉じられたことを下部カバー開閉検知部１０２が検知することになる。制御部５８は、このような検知が行われるまで待機する。このような検知が行われると、制御部５８は、ＩＣタグリーダライタ１２２によってＩＣタグ１１７から使用情報を読み出させる。
【００６２】
制御部５８は、ＩＣタグリーダライタ１２２が、ＩＣタグ１１７から使用済みであることを示す使用情報を読み出した場合、セット部１２１にセットされた封緘具１１０が使用済みであるため未使用の封緘具１１０への交換を促す旨の警告表示を操作表示部５１に表示させる。例えば、「未使用のＩＣタグが組み込まれた封緘タグをセットして下さい」の表示を表示させる。ここで、封緘タグは封緘具１１０の呼称である。ＩＣタグリーダライタ１２２が使用情報を読み出せない場合も、セット部１２１に未使用の封緘具１１０のセットを促す旨の警告表示を操作表示部５１に表示させる。
【００６３】
これらのように、ＩＣタグリーダライタ１２２が、ＩＣタグ１１７から未使用であることを示す使用情報を読み出すことができない場合、制御部５８は、上部カバーロック部８１および下部カバーロック部１０１で上部扉部７７および下部扉部９８をロックすることなく待機する。ここで、制御部５８は、ＩＣタグ１１７に識別計数部５６の識別結果情報（後述）が記憶されていないことを、未使用であることを示す使用情報とする一方、ＩＣタグ１１７に識別計数部５６の識別結果情報が記憶されていることを、使用済みであることを示す使用情報とする。
【００６４】
制御部５８は、ＩＣタグリーダライタ１２２が、ＩＣタグ１１７から未使用であることを示す使用情報を読み出すと、上部カバーロック部８１および下部カバーロック部１０１で上部扉部７７および下部扉部９８を閉状態にロックする。そして、制御部５８は、袋内残留磁気検知センサ１０３で収容袋３５内に残留している硬貨の有無を検出させる。袋内残留磁気検知センサ１０３が収容袋３５内に残留している硬貨があることを検出すると、制御部５８は、上部カバーロック部８１および下部カバーロック部１０１により上部扉部７７および下部扉部９８のロックを解除して、収容袋３５に残留している硬貨がある旨の表示を操作表示部５１に表示させる。
【００６５】
袋内残留磁気検知センサ１０３で収容袋３５内に残留している硬貨が検出されなければ、制御部５８は、これが設けられた硬貨処理装置１１の識別情報、ＩＣタグ１１７から読み取ったＩＣタグ１１７の識別情報、現在の日時情報（封緘処理実行の日時情報）および今回の処理にあたって入力された操作者の識別情報を、履歴情報として記憶部５９に記憶させると共に、これらの硬貨処理装置１１の識別情報、封緘処理実行の日時情報および操作者の識別情報をＩＣタグリーダライタ１２２によってＩＣタグ１１７に書き込ませる。
【００６６】
そして、制御部５８は、ホッパ１６および搬送部５５を駆動し、ホッパ１６に投入された硬貨を、識別計数部５６で識別させ、識別計数部５６の識別結果に基づいて振分部５７で、真硬貨を金種混合で一括してシュート本体３１から収容袋３５に放出させることになり、偽硬貨を排除ボックス４１に放出させることになる。なお、制御部５８は、上部カバー開閉検知部８２、下部カバー開閉検知部１０２、装着有無検知部８３およびＩＣタグリーダライタ１２２が、上記のような検知を行わなければ、ホッパ１６および搬送部５５を駆動することはない。
【００６７】
ホッパ１６および搬送部５５の駆動後、規定枚数の硬貨を収容袋３５に放出するか、あるいは、ホッパ１６に硬貨がなくなると、制御部５８は、ホッパ１６および搬送部５５を停止させて、識別計数部５６の識別結果のうち収容袋３５に収容した硬貨の金種別の枚数および合計金額等の識別結果情報を、上記したＩＣタグ１１７の識別情報、硬貨処理装置１１の識別情報、日時情報および操作者の識別情報と関連付けて、履歴情報として記憶部５９に記憶すると共に、ＩＣタグリーダライタ１２２によってＩＣタグ１１７にも書き込ませる。ＩＣタグ１１７は、これに記憶された識別計数部５６の識別結果情報が、使用済みであることを示す使用情報となる。硬貨処理装置１１の識別情報、日時情報および操作者の識別情報を、識別計数部５６の識別結果情報のＩＣタグ１１７への記憶のタイミングでＩＣタグ１１７へ記憶させても良い。
【００６８】
次に、制御部５８は、セット部１２１にセットされた封緘具１１０の、シュート２６に取り付けられた収容袋３５への巻き付けを促す旨の表示を操作表示部５１に表示させる。すると、操作者が、手動で、セット部１２１にセットされた封緘具１１０の先端部１１４側を手前に引き、収容袋３５の前方を通過させて引抜規制部１１６に挿入する。これにより、シュート２６に装着された収容袋３５の開口３６側の周囲に封緘具１１０が巻かれた状態になる。挿入検知部１２４が、引抜規制部１１６にバンド部１１２が所定量挿入された状態にあることを検知すると、制御部５８は、移動駆動モータ１３７で一対のクランプローラ１３６を移動させて一対のクランプローラ１３６によって封緘具１１０の先端部１１４側を挟持させた後、回転駆動モータ１３８を所定量回転させて、封緘具１１０の先端部１１４側を引抜規制部１１６に対して挿入方向に所定量移動させる。これにより、収容袋３５が封緘具１１０で縛られて開口３６が封止された封緘状態となる。
【００６９】
制御部５８は、クランプローラ１３６の回転時間が所定時間になることで、収容袋３５が封緘具１１０で縛られた状態になったことを検出すると、回転駆動モータ１３８を停止させると共に、移動駆動モータ１３７で一対のクランプローラ１３６を離間させる。そして、制御部５８は、ホッパ１６に硬貨がなければ、上部カバーロック部８１および下部カバーロック部１０１による上部扉部７７および下部扉部９８のロックを解除して、収容袋３５のシュート２６からの取り外しを促す旨の表示を操作表示部５１に表示させる。すると、操作者は、上部扉部７７を開き、下部扉部９８を開いて、収容袋３５をシュート２６から取り外して上部カバー７２および下部カバー９１から外側に取り出す。このとき、この収容袋３５を縛っている封緘具１１０も、バンド部１１２の先端部１１４側および引抜規制部１１６がセット穴１３１から引き抜かれ、基部１１３が基部保持部１３３から外れて、収容袋３５と一体に取り出される。収容袋３５を上部カバー７２および下部カバー９１よりも外側に取り出すと、操作者は、上部扉部７７および下部扉部９８を閉じることになる。
【００７０】
操作者の上記作業によって、上部扉部７７が開かれたことを上部カバー開閉検知部８２が検知し、下部扉部９８が開かれたことを下部カバー開閉検知部１０２が検知し、装着有無検知部８３が収容袋３５がシュート２６に取り付けられた状態にないことを検知した後、上部扉部７７が閉じられたことを上部カバー開閉検知部８２が検知し、下部扉部９８が閉じられたことを下部カバー開閉検知部１０２が検知することになる。すると、制御部５８は、一括放出モードでの処理を終了する。
【００７１】
他方、上記のように回転駆動モータ１３８の回転駆動を停止させると共に、移動駆動モータ１３７で一対のクランプローラ１３６を離間させた後、ホッパ１６に硬貨があれば、制御部５８は、上部カバーロック部８１および下部カバーロック部１０１により上部扉部７７および下部扉部９８の閉状態でのロックを解除して、収容袋３５のシュート２６からの取り外し、次の未使用の封緘具１１０のセット部１２１へのセットおよび次の収容袋３５のシュート２６への取り付けを促す旨の表示を操作表示部５１に表示させる。すると、操作者は、上部扉部７７を開き、下部扉部９８を開いて、収容袋３５をシュート２６から取り外し、これを縛っている封緘具１１０と共に上部カバー７２および下部カバー９１よりも外側に取り出した後、次の未使用の封緘具１１０をセット部１２１へセットし、次の空の収容袋３５をシュート２６へ取り付けて、上部扉部７７および下部扉部９８を閉じることになる。
【００７２】
操作者の上記作業によって、上部扉部７７が開かれたことを上部カバー開閉検知部８２が検知し、下部扉部９８が開かれたことを下部カバー開閉検知部１０２が検知し、装着有無検知部８３が収容袋３５がシュート２６に取り付けられた状態にないことを検知した後、装着有無検知部８３が収容袋３５がシュート２６に取り付けられた状態にあることを検知し、上部扉部７７が閉じられたことを上部カバー開閉検知部８２が検知し、下部扉部９８が閉じられたことを下部カバー開閉検知部１０２が検知することになる。すると、制御部５８は、ＩＣタグリーダライタ１２２によるＩＣタグ１１７からの使用情報の読み出しから、上記と同様に処理を行う。ホッパ１６の硬貨がなくなるまで、上記と同様に、硬貨を規定枚数収容した収容袋３５を作成する処理を適宜繰り返して、ホッパ１６の硬貨がなくなると、一括放出モードでの処理を終了する。
【００７３】
一括放出モードでの処理中、上記のように、上部カバーロック部８１および下部カバーロック部１０１により上部扉部７７および下部扉部９８を閉状態でロックすると、その後は、挿入検知部１２４が引抜規制部１１６にバンド部１１２が所定量挿入された状態にあることを検知した後、一対のクランプローラ１３６がバンド部１１２の先端部１１４側を引抜規制部１１６に対して挿入方向に所定量移動させたことを検知するまで、制御部５８は、上部カバーロック部８１および下部カバーロック部１０１による上部扉部７７および下部扉部９８の閉状態でのロックを解除することがない。すなわち、シュート２６に取り付けられた状態の収容袋３５へのアクセスを規制する。
【００７４】
以上により、制御部５８は、封緘具１１０で開口３６が封止されていない状態の収容袋３５のシュート２６からの取り外しを規制し、封緘具１１０で開口３６が封止されている状態での収容袋３５のシュート２６からの取り外しを許容するように取外規制部７１を制御する。
【００７５】
なお、一括放出モードでの処理中に異常が発生した時には、制御部５８が、封緘具１１０で開口３６が封止されていない状態の収容袋３５に対しても、上部カバーロック部８１および下部カバーロック部１０１による上部扉部７７および下部扉部９８の閉状態でのロックを解除して、シュート２６からの取り外しを可能とする。その際に、収容袋３５の在り高が保証できない状態になると、制御部５８は、異常復旧処理を開始して、上部カバーロック部８１および下部カバーロック部１０１による上部扉部７７および下部扉部９８の閉状態でのロックを解除し、操作表示部５１に、収容袋３５をシュート２６から取り外して収容袋３５内の硬貨をホッパ１６への投入した後、収容袋３５をシュート２６に取り付ける作業を促す旨の表示を表示させる。すると、操作者は、上部扉部７７を開き、下部扉部９８を開いて、収容袋３５をシュート２６から取り外し、この収容袋３５内の硬貨をホッパ１６へ投入し、この収容袋３５をシュート２６に取り付けて、上部扉部７７および下部扉部９８を閉じることになる。
【００７６】
操作者の上記作業によって、上部扉部７７が開かれたことを上部カバー開閉検知部８２が検知し、下部扉部９８が開かれたことを下部カバー開閉検知部１０２が検知し、装着有無検知部８３が収容袋３５がシュート２６に取り付けられた状態にないことを検知した後、装着有無検知部８３が収容袋３５がシュート２６に取り付けられた状態にあることを検知し、上部扉部７７が閉じられたことを上部カバー開閉検知部８２が検知し、下部扉部９８が閉じられたことを下部カバー開閉検知部１０２が検知することになる。すると、制御部５８は、ＩＣタグリーダライタ１２２によるＩＣタグ１１７からの使用情報の読み出しから、上記と同様に処理を行って再計数を行う。再計数が完了すると、異常が発生した取引より一つ前の在り高を差し引いて操作表示部５１に表示させる。これにより、操作者は、目視確認で入金金額を確認し、一致していれば、操作表示部５１に完了操作を入力する。完了操作が入力されると、制御部５８は、封緘具１１０での封緘を行う。
【００７７】
上記により、受入硬貨の在り高を計数しながら収容袋３５に収納し、規定枚数に達したところで、計数を停止して封緘作業に入るため、在り高が確定された収容袋３５が直ちに作成される。収容袋３５の在り高情報は、プリンタ５２により紙面に印字しても良い。
【００７８】
以上に述べた第１実施形態の硬貨処理装置１１によれば、制御部５８が、取り付けられた状態の収容袋３５の開口３６が封緘具１１０で封止されていない状態では、この収容袋３５の取り外しを規制し、収容袋３５の開口３６が封緘具１１０で封止されている状態では、この収容袋３５の取り外しを許容するように取外規制部７１を制御するため、封緘具１１０で開口３６が封止されていない状態での収容袋３５の取り外しを規制することができる。よって、硬貨を収容袋３５に収容して取り出す際のセキュリティ性の向上を図ることができる。
【００７９】
例えば、郵便局では、集まった大量の硬貨を受け入れ時に選別計数し、資金送付の際に郵袋という専用の収容袋に入れて袋取りした後、再度計数する等、同じ硬貨を２回以上計数するようになっている。作業者が日中業務や袋交換業務に手動で収容袋を外す際に、収容袋の内部に手が入るために硬貨を抜き取ることができ、その結果、厳密な収容袋の在り高管理ができない可能性がある。これに対し、第１実施形態の硬貨処理装置１１によれば、封緘具１１０で収容袋３５の開口３６が封止されていない状態での収容袋３５の取り外しを規制することができるため、手動で収容袋３５を外す際に、収容袋３５の内部に手が入ることを抑制することができ、現金に触れることのない厳密な収容袋３５の在り高管理が可能となる。
【００８０】
また、シュート２６に収容袋３５の開口３６側を装着して、硬貨をシュート２６から収容袋３５に放出し収容して袋取りを行う際に、制御部５８は、収容袋３５が封緘具１１０で縛られた状態にあるか否かを検出し、縛られた状態になければ、シュート２６からの収容袋３５の取り外しを取外規制部７１によって規制し、縛られた状態にあれば、シュート２６からの収容袋３５の取り外しを取外規制部７１によって許容する。よって、硬貨の袋取りの際のセキュリティ性の向上を図ることができる。
【００８１】
また、カバー底部９７が収容袋３５の底部を支持するため、開口３６側がシュート２６に装着された状態の収納袋３５が、収容している硬貨の重量で下方に引っ張られることを抑制できる。よって、封緘具１１０で縛る際に、収容袋３５の開口３６側を窄める動作に対する抵抗力が小さくなり、収容袋３５の開口３６の封緘具１１０による封止に要する力を低減できる。
【００８２】
また、上部カバー７２および下部カバー９１は、閉状態でシュート２６を覆ってこのシュート２６からの収容袋３５の取り外しを規制することになり、上部カバーロック部８１および下部カバーロック部１０１が、上部カバー７２および下部カバー９１を閉状態でロックする。このため、簡素な構造で、シュート２６からの収容袋３５の取り外しを規制することができる。しかも、上部カバー７２は、収容袋３５の開口３６側を覆って開口３６側の外部への露出を抑制するため、硬貨の袋取りの際のセキュリティ性のさらなる向上を図ることができる。ここで、シュート２６からの収容袋３５の取り外しの規制には、少なくとも上部カバー７２があれば良く、下部カバー９１をなくすことも可能である。しかしながら、上部カバー７２および下部カバー９１の両方を設ければ、操作者が収容袋３５に部分的に触れることをも抑制できるため、硬貨の袋取りの際のセキュリティ性のさらなる向上を図ることができる。しかも、上部カバー７２および下部カバー９１を設ければ良いため、既存装置への追加が容易となる。
【００８３】
また、緊縛部１１１は、封緘具１１０がセットされると共に、シュート２６に装着された収容袋３５の周囲に巻かれて引抜規制部１１６に一端の先端部１１４側が挿入された状態の封緘具１１０の先端部１１４側を引抜規制部１１６に対し挿入方向に移動させて収容袋３５の開口３６側を縛るため、収容袋３５の開口３６の封緘具１１０による封止作業を補助することができる。しかも、制御部５８は、緊縛部１１１の作動に基づいて、収容袋３５が封緘具１１０で縛られた状態にあるか否かを検出するため、収容袋３５の開口３６の封緘具１１０による封止が行われたか否かを確実に検出することができる。
【００８４】
また、ＩＣタグリーダライタ１２２が、封緘具１１０のＩＣタグ１１７から未使用であるか使用済みであるかを示す使用情報を読み出すため、使用済みの封緘具１１０が使用されることを防止できる。
【００８５】
第１実施形態の硬貨処理装置１１は、一括投入された金種混合の硬貨を識別および計数して金種別に分類する分類モードと、一括投入された金種混合の硬貨を識別および計数し一括して放出する一括放出モードとが可能な硬貨選別計数装置であるが、一括投入された金種混合の硬貨を識別および計数し一括して放出する一括放出モードのみが可能な硬貨計数装置であっても良い。
【００８６】
第１実施形態の硬貨処理装置１１は、１枚１枚の収容袋３５に規定枚数ずつ硬貨を収容する場合を例にとり説明したが、規定重量を設定し、硬貨重量が規定重量に達したところで計数を停止させることにより、１枚１枚の収容袋３５に規定重量ずつ硬貨を収容するようにしても良い。規定重量に達したか否かの検出は、収容袋３５がセットされる部位であるカバー底部９７に重量センサを設けて実測しても良く、正常と識別されて収容袋３５に収容される硬貨の金種別の枚数それぞれに、対応金種の１枚あたりの基準重量を掛け合わせた理論値重量が規定重量に達したところで計数停止させても良い。または、規定体積を設定し、正常と識別されて収容袋３５に収容される硬貨の金種別の枚数それぞれに、対応金種の１枚あたりの基準体積を掛け合わせた理論値体積が規定体積に達したところで計数を停止させて、１枚１枚の収容袋３５に規定体積ずつ硬貨を収容するようにしても良い。さらには、上記体積が収容袋３５の膨らみに関わることから、シュート２６の出口よりも所定量下方部分の収容袋３５の膨らみを光学センサで検出して、所定以上の膨らみに達したところで、封緘すべき枚数に達したと判断するようにしても良い。
【００８７】
第１実施形態の硬貨処理装置１１において、記憶部５９および封緘具１１０のＩＣタグ１１７に、封緘処理実行の日時情報、操作者の識別情報、硬貨処理装置１１の識別情報、操作者の識別情報および収容袋３５に収容した硬貨の金種別の枚数および合計金額等の識別結果情報を記憶するようにしたが、これらに限られるものではなく、記憶する情報に、硬貨処理装置１１が設置される店舗等の識別情報をさらに含んでも良い。なお、硬貨処理装置１１の識別情報自体に、硬貨処理装置１１が設置される店舗等の情報を含んでいても良い。
【００８８】
第１実施形態の硬貨処理装置１１において、収容袋３５に収容した硬貨の金種別の枚数および合計金額等の識別結果情報を、硬貨処理装置１１の識別情報、封緘処理実行の日時情報および操作者の識別情報と関連付けて、履歴情報として記憶部５９に記憶したが、この履歴情報を、収容袋３５の回収先である管理センタの管理装置にネットワークを介して送信するようにしても良い。この場合、管理センタの管理装置では、回収してきた収容袋３５の封緘具１１０のＩＣタグ１１７に記憶された情報と、ネットワークを介して受信した情報とを照合するようにしても良い。ネットワーク接続を不要として、回収先において、回収してきた収容袋３５の封緘具１１０のＩＣタグ１１７に記憶された情報を元に、収容袋３５の監査を行うようにしても良い。
【００８９】
第１実施形態の硬貨処理装置１１において、収容袋３５への硬貨の収容時に、硬貨の収容位置の偏りを抑制できるよう、カバー底部９７、下部壁部９５および下部後壁部９６の少なくともいずれか一つを振動させても良い。
【００９０】
第１実施形態の硬貨処理装置１１において、空の収容袋３５のシュート２６への取り付け、封緘後または開口状態での収容袋３５の取り外しを容易化するため、カバー底部９７を上下動可能とし、取り付け、取り外しに際して、カバー底部９７を上方に移動させるようにしても良い。このカバー底部９７を上下動させる機構によって、カバー底部９７に硬貨の偏りを抑制するための振動を与えるようにしても良い。
【００９１】
第１実施形態の硬貨処理装置１１においては、上部カバー７２および下部カバー９１の二分割カバーを有しているが、収容袋３５の取り外しができない状態で封緘処理ができるように、上部カバー７２だけ設けても良い。また、上部カバー７２および下部カバー９１に分割せずに一つのカバーで収容袋３５の全体を覆うようにしても良い。
【００９２】
第１実施形態の硬貨処理装置１１にあっては、封緘具１１０が、その先端部１１４を基部１１３の引抜規制部１１６に挿入させる前の状態でセット部１２１にセットされ、封緘作業時に、手作業でその先端部１１４を引抜規制部１１６に挿入してから、自動的に締め付けて封緘を行わせるものであったが、これに代えて、封緘具１１０の先端部１１４を引抜規制部１１６に差し込んで環状にし、この環状内に収容袋３５の上部を通した上で、収容袋３５をシュート２６にセットするようにしても良い。このとき、封緘具１１０が挿入検知部１２４で検知されていることを収容袋３５への硬貨放出の条件とすれば、収容袋３５への硬貨放出前に、移動部１２５のクランプローラ１３６で封緘具１１０を挟持する状態とし、収容袋３５への硬貨放出後の封緘作業時には、自動的に、封緘具１１０の先端部１１４をクランプローラ１３６で挿入方向に移動させて封緘できることになる。他方、異常時などの際であって、収容袋３５を取り外す必要があるときには、クランプローラ１３６で挟持された環状の封緘具１１０から収容袋３５の開口３６側を下方に抜いて収容袋３５内の硬貨を排出し、再度、収容袋３５の開口３６側を、環状の封緘具１１０の内側に差し込んでから、シュート２６に取り付けることができる。
【００９３】
第１実施形態の硬貨処理装置１１は、この硬貨処理装置１１が設置された店舗等において、今後使用しないとみなした硬貨群を直ちに計数して収納し封緘する場合に使用して好適となる。店舗等では、収容袋３５への収容および封緘の好適なタイミングがある。例えば、午前中は、硬貨の出し入れが多いことから、収容袋３５への収容および封緘は行わず、午後からの硬貨は、ほぼ収容する傾向にあることが判っている場合などには、第１実施形態の硬貨処理装置１１で計数、収容および封緘する。混合硬貨の計数、収容および封緘の一連の処理は、例えば、大量の硬貨を一度に処理しようとする場合も含めて、少量の硬貨を、何度も計数および収容を繰り返して、各収容袋３５に規定量ずつ封緘するケースがある。
【００９４】
硬貨の出し入れが発生しうるときは、硬貨選別計数機で計数処理し、出し入れが不要のときは、硬貨選別計数機とは別となる第１実施形態の硬貨処理装置１１で計数、収容および封緘する、と言う二機種対応としたり、あるいは、金種混合回収および金種選別の両機能を有する第１実施形態の硬貨処理装置１１では、出し入れの時間帯は計数して金種別の収容箱２１に選別して収容し、出し入れ不要の時間帯は収容袋３５に金種混合で収容して封緘するようにしても良い。
【００９５】
封緘具１１０は、基本的に、封緘作業後にはこれを切断しない限り、収容袋３５の封緘状態を解除できないため、使用済みの封緘具１１０を再使用することはあり得ない。よって、封緘具１１０において、これを硬貨処理装置１１にセットして、そのＩＣタグ１１７を読み取ると、通常は未使用となっている。しかしながら、不正防止、抑止のためにも、ＩＣタグ１１７のチェックを行う。例えば、不正を働こうとする者が、輸送途中に封緘具１１０を切り取って中身を抜き取り、新しい封緘具１１０に付け替えた場合、ＩＣタグ１１７には何も書き込まれていなかったり、所定の形式の情報が書き込まれていない可能性が高くなるので、収容袋３５を封緘している封緘具１１０のＩＣタグ１１７の記憶内容のチェックを行うことで、不正を検出することができる。
【００９６】
硬貨処理装置１１の使用に先立って、操作表示部５１への操作で、金種別に選別処理するか、金種混合で収容および封緘処理するかを選択可能とした上で、選別処理が選択された場合、識別および計数して金種別の収容箱２１へ収容を行い、収容および封緘処理が選択された場合は、識別および計数して金種混合で収容袋３５への収容および封緘処理を行うようにしても良い。硬貨処理装置１１は、この場合、操作表示部５１への操作で操作者権限を確認してから、権限者のみ、選択した上での収容袋３５への収容および封緘処理を行えるようにしても良い。また、この場合、非権限者に対しては、選別処理のみが選択可能としたり、自動的に選別処理モードとなるようにしても良い。さらには、収容および封緘処理が選択されたときに、収容袋３５のセットが確認されない場合には警告等を発生させるようにしても良い。
【００９７】
なお、封緘具１１０を用いる以外の封止手段を採用しても良い。例えば、収容袋３５として、ヒートシール対応可能なビニール袋（１０００枚程度の硬貨が袋詰め可能なもの）を用意する。そして、セット部１２１に相当する部分に、ヒートシール用の細いヒータを配置する。封緘処理の際、表面をテフロン（登録商標）加工した金属板金を、ヒータ線のあるセット部１２１側に、間に収容袋３５を挟んで押し付けることで、収容袋３５を熱溶着して封緘する。この場合、ＩＣタグ１１７は収容袋３５のそのものに埋め込むことになる。このＩＣタグ１１７への書き込み完了で、上部カバーロック部８１および下部カバーロック部１０１のロックを解除する。
【００９８】
また、ＩＣタグ１１７を収容袋３５に埋め込む以外に、ヒートシールする動作を利用して、ＩＣタグ１１７が埋め込まれたラベルシールを収容袋３５に貼付し、それに向けて、在り高情報等を書き込むようにしても良い。
【００９９】
さらには、ヒートシールを施す箇所を二カ所、収容袋３５の高さ方向に離間させて設け、下方部位をヒートシール後、ＩＣタグ１１７付きの紙片を収容袋３５内に投入し、その後、上方部位をヒートシールして、上下のヒートシール部分の間に、ＩＣタグ１１７付きの紙片を閉じこめる。そして、この紙片のＩＣタグ１１７に在り高情報等を書き込むようにしても良い。
【０１００】
＜第２実施形態＞
本発明の貨幣処理装置に係る第２実施形態である硬貨処理装置を図６を参照して第１実施形態との相違部分を中心に以下に説明する。
【０１０１】
第２実施形態は、第１実施形態と同様の布製の収容袋３５に、その開口を覆うように金属製の蓋機構部２０１が取り付けられた金庫袋２０２（収容体）を有している。
【０１０２】
蓋機構部２０１は、収容袋３５の開口側に固定されると共に収容袋３５の開口に連通する開口２０５を有するベース２０６と、開口２０５を開閉するようにベース２０６にスライド可能に支持された蓋体２０７（封止手段）とを有している。蓋体２０７は、ベース２０６に設けられた蓋ロック機構２０８によって開口２０５を閉塞する閉状態にロックされる。蓋ロック機構２０８は別体のキーが挿入されて操作されることにより、蓋体２０７のロックを解除し、これにより蓋体２０７が開口２０５を開放可能となる。
【０１０３】
第２実施形態の硬貨処理装置１１は、第１実施形態の取外規制部７１および緊縛部１１１が設けられていない通常の硬貨選別計数装置である処理装置本体２１１と、処理装置本体２１１の下部に取り付けられるフレーム２１２とを有している。フレーム２１２には、処理装置本体２１１に取り付けられた状態で、シュート本体３１の下面に前後左右の位置を合わせて近接してシュート本体３１から放出される硬貨の落下を案内する筒状の連結シュート部２１３（放出手段）と、金庫袋２０２の蓋機構部２０１を着脱可能な着脱部２１４（規制手段）とを有している。
【０１０４】
蓋機構部２０１は、手動によって着脱部２１４に前方から押し込まれて装着されると着脱部２１４の図示略の着脱ロック機構にロックされることになり、制御部５８の制御により着脱ロック機構のロックが解除されると、手動によって着脱部２１４から前方に引き出されて取り外される。
【０１０５】
着脱部２１４は、蓋機構部２０１が取り付けられる際に蓋ロック機構２０８のロックを解除して蓋体２０７を開く。制御部５８は、蓋体２０７が手動で閉じられて蓋ロック機構によりロックされたことを条件に、着脱部２１４の着脱ロック機構のロックを解除し、蓋機構部２０１の取り外しを許容するようになっている。着脱部２１４に蓋機構部２０１が取り付けられて蓋体２０７が開かれると、蓋機構部２０１の開口２０５がフレーム２１２の連結シュート部２１３に連通し、よって、処理装置本体２１１のシュート本体３１から放出される硬貨を連結シュート部２１３を介して金庫袋２０２の収容袋３５に収容する。
【０１０６】
よって、制御部５８が、着脱部２１４の着脱ロック機構を制御して金庫袋２０２の取り外しを規制する状態は、金庫袋２０２の開口２０５が蓋体２０７で封止されていない状態であり、着脱部２１４の着脱ロック機構を制御して金庫袋２０２の取り外しを許容する状態は、金庫袋２０２の開口２０５が蓋体２０７で封止されている状態となる。言い換えれば、制御部５８は、蓋体２０７で金庫袋２０２の開口２０５が封止されていない状態でのこの金庫袋２０２の取り外しを規制し、蓋体２０７で金庫袋２０２の開口２０５が封止されている状態でのこの金庫袋２０２の取り外しを許容するように着脱部２１４の着脱ロック機構を制御する。
【０１０７】
蓋機構部２０１のベース２０６には、ＩＣタグ２２１が設けられており、フレーム２１２には、着脱部２１４に取り付けられた状態の蓋機構部２０１のＩＣタグ２２１に、制御部５８に制御されて情報を書き込むＩＣタグリーダライタ２２２が設けられている。制御部５８は、第１実施形態と同様、一括放出モードの実行時に、識別計数部５６の識別結果のうち金庫袋２０２に収容した硬貨の金種別の枚数および合計金額等の識別結果情報を、ＩＣタグ２２１の識別情報、硬貨処理装置１１の識別情報、封緘処理実行の日時情報および操作者の識別情報と関連付けて、ＩＣタグリーダライタ２２２によってＩＣタグ２２１に書き込ませる。
【０１０８】
一括放出モードの実行時に、金庫袋２０２の硬貨量が規定量に達して着脱部２１４から取り外される際に、蓋機構部２０１は蓋体２０７が閉状態になってロックされている。これにより、セキュリティ性を維持できることになる。蓋機構部２０１は再度セットしても蓋体２０７が開かれて継続した計数が可能となり、在り高を加算できる。制御部５８は、異常発生時は、蓋体２０７が開かれた状態のままでも着脱部２１４の着脱ロック機構を制御して金庫袋２０２を取り外し可能とする。
【０１０９】
第２実施形態の硬貨処理装置１１によれば、外部に露出するシュート２６を有する既存の処理装置本体２１１に対し、フレーム２１２を追加し、収容袋３５に蓋機構部２０１を追加すれば良いため、装置改造が容易となる。
【０１１０】
＜第３実施形態＞
本発明の貨幣処理装置に係る第３実施形態である硬貨処理装置を図７を参照して第１実施形態との相違部分を中心に以下に説明する。
【０１１１】
第３実施形態の硬貨処理装置１１は、第１実施形態の取外規制部７１および緊縛部１１１が設けられていない通常の硬貨選別計数装置である処理装置本体３１１と、処理装置本体３１１の下部に取り付けられるフレーム３１２とを有している。処理装置本体３１１は、複数の収容箱２１が配置される収容凹部２０が下方にも開口しているタイプであり、フレーム３１２は、複数の収容箱２１を除いた状態の収容凹部２０に挿入される挿入部３１５を有している。挿入部３１５には、シュート部３１６（放出手段）と、シュート部３１６の下側で後方に凹む収容凹部３１７（規制手段）とが設けられている。シュート部３１６は、振分部５７で複数の収容箱２１に振り分けられて放出される硬貨を一括して収容凹部３１７に案内することになる。
【０１１２】
フレーム３１２の収容凹部３１７には、金箱３２１（収容体）が、前方から挿入され、前方に引き出される。金箱３２１は、上方に開口３２２を有する金属製の金箱本体３２３と、開口３２２を開閉するように金箱本体３２３にスライド可能に支持された金属製の折り畳み可能なシャッタ３２４（封止手段）とを有している。シャッタ３２４は、金箱本体３２３に設けられたシャッタロック機構３２５によって開口３２２を閉塞する閉状態にロックされる。シャッタロック機構３２５は別体のキーが挿入されて操作されることにより、シャッタ３２４のロックを解除し、これにより手動によりシャッタ３２４がスライドさせられて開口３２２を開放する。
【０１１３】
金箱３２１は、手動によって収容凹部３１７に前方から押し込まれて装着されるとフレーム３１２の図示略の着脱ロック機構にロックされることになり、制御部５８の制御により着脱ロック機構のロックが解除されると、手動によって収容凹部３１７から前方に引き出されて取り外される。
【０１１４】
収容凹部３１７は、金箱３２１が取り付けられる際にシャッタロック機構３２５のロックを解除してシャッタ３２４を開可能とする。制御部５８は、シャッタロック機構３２５がシャッタ３２４を閉状態でロックしたことを条件に、着脱ロック機構による金箱３２１のフレーム３１２へのロックを解除する。収容凹部３１７に金箱３２１が取り付けられると、着脱ロック機構が金箱３２１をロックすると共にシャッタロック機構３２５がシャッタ３２４のロックを解除する。この状態でシャッタ３２４が開かれると、金箱本体３２３の開口３２２がフレーム３１２のシュート部３１６に連通し、よって、処理装置本体３１１の振分部５７から放出される硬貨をシュート部３１６を介して金箱３２１に収容する。
【０１１５】
よって、収容凹部３１７の着脱ロック機構が金箱３２１の取り外しを規制する状態では、シャッタ３２４が引き出されることで金箱３２１の開口３２２がシャッタ３２４で封止されていない状態となる。制御部５８は、金箱３２１の開口３２２がシャッタ３２４で封止されている状態で、収容凹部３１７の着脱ロック機構を制御して金箱３２１の取り外しを許容する状態とする。言い換えれば、制御部５８は、シャッタ３２４で金箱３２１の開口３２２が封止されていない状態でのこの金箱３２１の取り外しを規制し、シャッタ３２４で金箱３２１の開口３２２が封止されている状態でのこの金箱３２１の取り外しを許容するように収容凹部３１７の着脱ロック機構を制御する。
【０１１６】
金箱３２１の金箱本体３２３にＩＣタグ３３１が設けられており、フレーム３１２には、収容凹部３１７に取り付けられた状態の金箱３２１のＩＣタグ３３１に、制御部５８に制御されて情報を書き込むＩＣタグリーダライタ３３２が設けられている。制御部５８は、第１実施形態と同様、一括放出モードの実行時に、識別計数部５６の識別結果のうち金箱３２１に収容した硬貨の金種別の枚数および合計金額等の識別結果情報を、ＩＣタグ３３１の識別情報、硬貨処理装置１１の識別情報、封緘処理実行の日時情報および操作者の識別情報と関連付けて、ＩＣタグリーダライタ３３２によってＩＣタグ３３１に書き込ませる。
【０１１７】
一括放出モードの実行時に、金箱３２１の硬貨量が規定枚数に達して収容凹部３１７から取り外される際には、金箱３２１はシャッタ３２４が閉状態でロックされている。これにより、セキュリティ性を維持できることになる。金箱３２１は再度セットしてもシャッタ３２４が開可能となり、継続した計数が可能となって、在り高を加算できる。
【０１１８】
第３実施形態において、金箱３２１Ａとして、開口３２２、シャッタ３２４、シャッタロック機構３２５およびＩＣタグ３３１を有する金属製のシャッタ機構部３５１と、シャッタ機構部３５１が取り付けられて開口が覆われる布製の収容袋３５３とで形成しても良い。この場合、収容凹部３１７の上部に金箱３２１Ａのシャッタ機構部３５１を前後スライド可能に支持する支持部を設けることになる。
【０１１９】
以上に述べた硬貨処理装置１１においては、ホッパ１６に一括投入された金種混合の硬貨を識別および計数して金種別の収容箱２１に分類して収容するようになっているが、収容箱２１にかえて、金種別の布製の収容袋３５に硬貨を収容する装置もある。この場合の金種別の収容袋３５のそれぞれに対しても、上記した封緘処理が可能な構成を適用することが可能である。
【０１２０】
以上に述べた硬貨処理装置１１では、貨幣として硬貨を処理するものを例にとり説明したが、本発明は、貨幣として紙幣を処理するものにも適用可能である。
【符号の説明】
【０１２１】
１１  硬貨処理装置
２６  シュート（放出手段）
３５  収容袋（収容体）
３６，２０５，３２２  開口
５６  識別計数部（計数手段）
５８  制御部（制御手段）
７１  取外規制部（規制手段）
７２  上部カバー
８１  上部カバーロック部（ロック手段）
９１  下部カバー
９７  カバー底部（支持部）
１０１  下部カバーロック部（ロック手段）
１１０  封緘具（封止手段）
１１１  緊縛部（緊縛手段）
１１６  引抜規制部
１１７，２２１，３３１  ＩＣタグ（記憶手段）
１２２，２２２，３３２  ＩＣタグリーダライタ（読出手段）
２０２  金庫袋（収容体）
２０７  蓋体（封止手段）
２１３  連結シュート部（放出手段）
２１４  着脱部（規制手段）
３１６  シュート部（放出手段）
３１７  収容凹部（規制手段）
３２１，３２１Ａ  金箱（収容体）
３２４  シャッタ（封止手段）
【図１】
2019079327.tif 000003
【図２】
2019079327.tif 000004
【図３】
2019079327.tif 000005
【図４】
2019079327.tif 000006
【図５】
2019079327.tif 000007
【図６】
2019079327.tif 000008
【図７】
2019079327.tif 000009